(57)【特許請求の範囲】
【請求項１】
前後一対のシェル体（２Ａ・２Ｂ）どうしを接合して構成されて、戸パネル（１）の木口面に装着されるホルダー（２）と、両シェル体（２Ａ・２Ｂ）の接合面の間に配置される把手（３）および弾性体（４）とを含み、
ホルダー（２）の前後面の少なくとも一方が戸パネル（１）の面壁に露出しており、戸パネル（１）の露出面壁に臨むシェル体（２Ａ・２Ｂ）に、戸パネル（１）を移動操作する手掛凹部（６）が凹み形成されており、
把手（３）は、縦長長方形状のグリップ（１７）と、グリップ（１７）の上端内面に突設した接当片（１８）とを備えており、
弾性体（４）が、接当片（１８）を受け止める弾性変形可能なストッパー（２０）を含むプラスチック成形品からなり、
ホルダー（２）は把手（３）を収納する格納部（５）を有し、該格納部（５）は把手（３）のグリップ（１７）を収容する幅広の第１ポケット（１２）と、第１ポケット（１２）の内奥に連続して形成されて、把手（３）の接当片（１８）が入り込む幅狭の第２ポケット（１３）とからなり、
第２ポケット（１３）の内奥端には、弾性体（４）を装着するための切欠（１６）が形成されており、
把手（３）はホルダー（２）に設けた軸（１４）で揺動可能に軸支されて、全体がホルダー（２）の格納部（５）内に収まる待機姿勢と、グリップ（１７）が格納部（５）および戸パネル（１）の木口面から斜めに突出する使用姿勢とに変位可能であり、
ストッパー（２０）は、接当片（１８）の揺動軌跡と交差する状態で設けられており、把手（３）が待機姿勢と使用姿勢との間で変位するとき、接当片（１８）がストッパー（２０）を弾性変形させながら乗り越えるようになっており、ストッパー（２０）は待機姿勢と使用姿勢とのそれぞれにおいて接当片（１８）を受け止め支持して、各姿勢に切り換わった把手（３）が軸（１４）まわりに揺動するのを規制しており、
待機姿勢において、把手（３）の接当片（１８）の突端下面が弾性体（４）のストッパー（２０）で受け止められることで、把手（３）が格納部（５）の外へ出ることが規制されており、
使用姿勢において、把手（３）の接当片（１８）の上端内面が弾性体（４）のストッパー（２０）で受け止められることで、把手（３）が待機姿勢に復帰揺動することが規制されており、且つ把手（３）のグリップ（１７）の上端内面が第１ポケット（１２）の上部の傾斜面（１２ａ）で受け止められることで、把手（３）の軸（１４）まわりの揺動限界が規制されており、
ホルダー（２）の第１ポケット（１２）の奥端面が、手掛凹部（６）よりも木口面側に位置し、且つ第２ポケット（１３）の内奥端が、手掛凹部（６）の木口面側の周縁よりも内奥側に位置していることを特徴とする引戸のハンドル装置。  
【発明の詳細な説明】
【０００１】
【発明の属する技術分野】
この発明は、引戸の木口面（側端面）に設けられるハンドル装置、なかでも不使用時の把手を引戸の木口面に埋設したホルダー内に収容できるハンドル装置に関する。
【０００２】
【従来の技術】
この種のハンドル装置は、実公平６−４９７７６号公報に公知である。そこでは、引戸の木口面に埋設されるホルダーと、ホルダーに揺動可能に軸支される把手と、把手を揺動付勢するキックばね等でハンドル装置を構成している。ホルダーは、２個の半割筒体を接合して形成される断面長円状の筒体からなり、その周面に断面鋸歯状の抜け止めリブが形成してある。キックばねは、ホルダー内に収容された把手を待機状態に位置決め保持でき、さらにホルダーから突出した使用状態の把手を位置決め保持できる。
【０００３】
【発明が解決しようとする課題】
上記のハンドル装置によれば、１個のキックばねのみで把手を待機状態と使用状態とに位置保持できるが、使用状態における把手が水平に近い横向き姿勢になるので、誤って把手を使用状態に位置保持したまま引戸を閉じ操作するような場合に、把手が戸柱に衝突し破損するおそれがある。キックばねと把手とを片方の半割筒体に仮組みした後、これらに他方の半割筒体を接合してハンドル装置を組み立てる必要があるので、組み立てに多くの手間が掛かる。ホルダーは、引戸の木口面に掘込んだ取り付け穴に側面から圧嵌装着するが、ホルダー周面に設けた抜け止めリブと取り付け穴との摩擦力で取付状態を維持しているので、繰り返し作用する引っ張り力を受けたホルダーがぐら付いたり、長期使用時に取付け穴から抜け外れるおそれがある。ハンドル装置は、引戸を戸袋から抜き出す際に使用するが、引戸を開放して戸袋へ収納する際の引手としては使用できないので、ハンドル装置とは別に引手を設ける必要があり、その分だけ引戸の総コストが高く付く。
【０００４】
この発明の目的は、構成部品点数が少ない分だけ構造が簡素化でき、より少ない手間で簡単に組み立てることができる引戸用のハンドル装置を提供することにある。この発明の目的は、誤って把手を使用状態に位置保持したまま引戸を閉じ操作するような場合にも、把手をホルダー内の待機位置へ復帰揺動させて、把手の破損や変形などを確実に防止できるハンドル装置を提供することにある。この発明の目的は、引戸を戸袋から抜き出すときの把手として使用できるのはもちろん、引戸を戸袋へ収めるときの引手として使用できるハンドル装置を提供することにある。
【０００５】
【課題を解決するための手段】
この発明のハンドル装置は、図１ないし図４に示すごとく、上下に締結座７が設けられた前後一対のシェル体２Ａ・２Ｂどうしを接合して構成されて、戸パネル１の木口面に装着されるホルダー２と、両シェル体２Ａ・２Ｂの接合面の間に配置される把手３および弾性体４とを含む。ホルダー２の前後面の少なくとも一方が戸パネル１の面壁に露出しており、戸パネル１の露出面壁に臨むシェル体２Ａ・２Ｂに、戸パネル１を移動操作する手掛凹部６が凹み形成されている。把手３は、縦長長方形状のグリップ１７と、グリップ１７の上端内面に突設した接当片１８とを備えており、弾性体４が接当片１８を受け止める弾性変形可能なストッパー２０を含むプラスチック成形品からなる。ホルダー２は把手３を収納する格納部５を有し、該格納部５は把手３のグリップ１７を収容する幅広の第１ポケット１２と、第１ポケット１２の内奥に連続して形成されており、把手３の接当片１８が入り込む幅狭の第２ポケット１３とからなり、第２ポケット１３の内奥端には、弾性体４を装着するための切欠１６が形成されている。把手３はホルダー２に設けた軸１４で揺動可能に軸支されて、全体がホルダー２の格納部５内に収まる待機姿勢と、グリップ１７が格納部５および戸パネル１の木口面から斜めに突出する使用姿勢とに変位可能である。ストッパー２０は、接当片１８の揺動軌跡と交差する状態で設けられており、把手３が待機姿勢と使用姿勢との間で変位するとき、接当片１８がストッパー２０を弾性変形させながら乗り越えるようになっている。ストッパー２０は、待機姿勢と使用姿勢とのそれぞれにおいて接当片１８を受け止め支持して、各姿勢に切り換わった把手３が軸１４まわりに揺動するのを規制しており、待機姿勢において、把３の接当片１８の突端下面が弾性体４のストッパー２０で受け止められることで、把手３が格納部５の外へ出ることが規制されている。使用姿勢において、把手３の接当片１８の上端内面が弾性体４のストッパー２０で受け止められることで、把手３が待機姿勢に復帰揺動することが規制されており、且つ把手３のグリップ１７の上端内面が第１ポケット１２の上部の傾斜面１２ａで受け止められることで、把手３の軸１４まわりの揺動限界が規制されている。ホルダー２の第１ポケット１２の奥端面が、手掛凹部６よりも木口面側に位置し、且つ第２ポケット１３の内奥端が、手掛凹部６の木口面側の周縁よりも内奥側に位置していることを特徴とする。
【０００９】
【発明の作用効果】
前後一対のシェル体２Ａ・２Ｂでホルダー２を形成し、両シェル体２Ａ・２Ｂの接合面間に把手３と弾性体４とを配置してハンドル装置を構成したので、従来例に比べて構成部品数を削減できる。また片方のシェル体２Ａに把手３と弾性体４とを組み付けたうえで、残るシェル体２Ｂを先のシェル体２Ａに組むだけでハンドル装置の組み立てを終えることができるので、キックばねを組む必要があった従来のハンドル装置に比べて、組み立てに要する手間を減らすことができ、先に説明した構造の簡素化と相俟ってハンドル装置の製作コストを削減できる。
【００１０】
待機姿勢と使用姿勢とのそれぞれにおいて把手３を弾性体４で受け止めて、把手３を各切り換え姿勢において揺動規制するので、把手３の切り換え構造を簡素化でき、長期使用時にも故障することのない信頼性に優れたハンドル装置が得られる。使用姿勢に切り換えた把手３は、そのグリップ１７が格納部５から斜めに突出した状態になるので、誤って把手３を使用状態に位置保持したまま戸パネル１を閉じ操作するような場合にも、把手３を戸柱でホルダー２内の待機位置へ復帰揺動させることができ、従って把手３の破損や変形などを確実に防止できる。なお、戸柱による把手３の復帰操作を確実なものとするために、使用姿勢におけるグリップ１７の傾斜角度は４５度以下とすることが好ましい。
【００１１】
戸パネル１に装着したホルダー２の前後面の少なくとも一方に手掛凹部６を設けておくと、手掛凹部６に手を掛けて戸パネル１を移動操作できるので、戸パネル１を戸袋から抜き出すときと、戸パネル１を戸袋へ収めるときのいずれの場合にも、ハンドル装置を引手として利用でき、従来の単機能のハンドル装置に比べてハンドル装置の使い勝手が向上する。
【００１２】
弾性体４に弾性変形可能なストッパー２０を設け、使用姿勢と待機姿勢とにおける把手３の接当片１８をストッパー２０で受け止め支持して、各姿勢に切り換わった把手３の揺動を規制できるようにしたハンドル装置によれば、弾性体４と把手３を片方のシェル体２Ａに差し込み装填するだけの僅かな手間で組み立てが行える。従ってハンドル装置をさらに簡単に組み立てることができるうえ、弾性体４をプラスチック成形品で形成してハンドル装置のコストを削減できる。また、接当片１８と接触する個所を弾性体４のストッパー２０のみに限ることができるので、故障を生じる余地がなく信頼性を向上できる。
【００１３】
ホルダー２５と、ホルダー２５に組まれる把手２６と、ばね２７とで構成したハンドル装置によれば、構成部品数最小限化できるうえ、組み立てに要する手間を減らすことができ、従来のハンドル装置に比べてさらに製作コストを削減できる。把手２６をばね２７で待機位置へ向かって揺動付勢するので、不使用時に把手２６がホルダー２５の外へ突出することがなく、衣服の引っ掛かりや他物の衝突による把手２６の破損や変形を防止できる。例えば、把手２６に設けた手掛凹部２６に手を掛けて戸パネル１を移動操作できるので、戸パネル１を戸袋から抜き出すときと、戸パネル１を戸袋へ収めるときのいずれの場合にも、ハンドル装置を引手として利用でき、従来の単機能のハンドル装置に比べてハンドル装置の使い勝手を向上できる。
【００１４】
【実施例】
（実施例１）
図１ないし図４は、この発明に係る引戸用のハンドル装置を示す。ハンドル装置は、戸パネル１の木口面に装着されるホルダー２と、ホルダー２に組み付けられる把手３および弾性体４とで構成する。図１においてホルダー２は、上下に長い枠体からなり、その左側端面に把手３を収容する格納部５を有し、前後面のそれぞれに手掛凹部６を凹み形成してなる。格納部５の上下には締結座７が設けてあり、その前後面に連続してフランジ壁８が手掛凹部６を囲む状態で張り出している。ホルダー２は、前後に分割されたプラスチック成形品からなる一対のシェル体２Ａ・２Ｂどうしを接合して構成されており、両シェル体２Ａ・２Ｂの接合面の間に把手３と弾性体４とを配置する。
【００１５】
図２に示すように各シェル体２Ａ・２Ｂは、基本的にホルダー２の前後中心で分割するが、締結座７の部分においては、座壁どうしが左右に重なるように互い違いに形成してある。両シェル体２Ａ・２Ｂの接合面の周縁には、互いに嵌係合する突起１０と穴１１とが４個形成してある。格納部５は把手３のグリップ１７を収容する広幅の第１ポケット１２と、第１ポケット１２の内奥に連続して形成されて、把手３の接当片１８が入り込む幅狭の第２ポケット１３とからなる。一方のシェル体２Ａの第２ポケット１３の上部には把手３を支持する軸１４が突設され、他方のシェル体２Ｂの第２ポケット１３には軸１４と嵌合する軸受穴１５が形成されている。第２ポケット１３の内奥端の上部には、弾性体４を装着するための切欠１６が形成してある。
【００１６】
把手３は縦長長方形状のグリップ１７と、グリップ１７の上端内面に突設した三角形状の接当片１８とを有するプラスチック成形品からなる。接当片１８に通設した穴を先の軸１４で揺動可能に軸支することにより、把手３はその全体がホルダー２の第１ポケット１２内に収まって、ホルダー２の側端面と面一になる図３の待機姿勢と、そのグリップ１７が第１ポケット１２から斜め下向きに突出する図１の使用姿勢とに変位できる。なお、使用姿勢に切り換わった状態の把手３の傾斜角度θは３０度である。
【００１７】
弾性体４は弾性変形可能な断面凸字状のプラスチック成形品からなり、その側面に接当片１８を受け止めるためのストッパー２０が部分円弧状に突設してある。弾性体４のストッパー２０は、接当片１８の揺動軌跡と交差する位置に設け、待機姿勢と使用姿勢とのそれぞれにおいて把手３の接当片１８に接当して、把手３が軸１４まわりに揺動するのを規制する。従って、待機状態において把手３が格納部５の外へ出ることはなく、使用姿勢にした把手３が自重で待機姿勢に復帰揺動することはない。待機状態の把手３を使用姿勢に切り換えるときは、指先でグリップ１７の上端を格納部５の内方へ押し込む。このときの接当片１８は、弾性体４のストッパー２０を弾性変形させながらストッパー２０を下側へ乗り越えた後、図１に示すようにその突端上面がストッパー２０で受け止められ、グリップ１７の上端内面が第１ポケット１２の上部の傾斜面１２ａで受け止められている。グリップ１７の下側を格納部５へ向かって押し込むと、接当片１８がストッパー２０を上向きに乗り越えて待機姿勢に復帰し、その突端下面がストッパー２０で受け止められる。
【００１８】
ハンドル装置は、軸１４が形成してある側のシェル体２Ａに弾性体４と把手３とを組み付けた後、残るシェル体２Ｂを先のシェル体２Ａに被せつけ、突起１０と穴１１とを係合することにより、少ない手間で簡単に組み立てることができる。この状態のハンドル装置を、戸パネル１に切り欠き形成した取付部２１に側方から差し込み、締結座７のビス穴に挿通したビス２２を戸パネル１にねじ込むことにより、ホルダー２を固定できる。この取付状態において、フランジ壁８は戸パネル１の前後表面に露出しており、同様に手掛凹部６も前後面で開口している（図４参照）。従って、戸パネル１を戸袋へ向かって開放移動するときは、手掛凹部６に手を掛けて戸パネル１を操作できる。把手３は、戸パネル１を戸袋から抜き出す際に使用するが、把手３を使用状態に突出したままで、誤って戸パネル１を閉じ操作することがあったとしても、把手３の傾斜角度が小さいので、問題なく把手３をホルダー２内へ復帰揺動させて待機状態に保持できる。
【００１９】
（参考例）
図５ないし図７は、この発明に係る引戸用ハンドル装置の参考例を示しており、ハンドル装置は、戸パネル１の木口面に装着されるホルダー２５と、ホルダー２５の内部に配置される把手２６と、把手２６を付勢するばね２７とで構成する。ホルダー２５は、単一のプラスチック成形品からなり、把手２６を収容するための凹部２８が、側端面と前面とで開口するように形成してある。側面の上下には締結座２９を有し、締結座２９の前面に連続してフランジ壁３０が凹部２８を囲む状態で張り出してある。凹部２８の下部には、把手２６を軸支する穴３１が通設され、この穴３１に隣接してばね受用のピン３２が突設してある。
【００２０】
把手２６は、下端に先の穴３１で軸支されるボス（軸）３４を有するトレー状のプラスチック成形品からなり、ボス３４より上側に、手掛凹部３５が前面へ向かって開口する状態で凹み形成してある。この手掛凹部３５を囲む枠部のうち、凹部２８の側面開口に臨む側の枠部分がグリップ３６として機能する。グリップ３６の上寄りには、把手２６をばね２７に抗して傾斜揺動するための指掛片３７が上向きに突設してある。ボス３４のまわりには、ばね２７を収容するための区画３８が形成してある。
【００２１】
ばね２７は捻りコイルばねからなり、ボス３４に外嵌する状態で先の区画３８内に収容し、ばね腕の片方を区画３８の内面で受け止める。この状態の把手２６をホルダー２５の凹部２８内に収め、残るばね腕をピン３２に掛け止めながら、ボス３４を穴３１に圧嵌係合することにより、把手２６をホルダー２５と一体化できる。これにより把手２６は、ボス３４を中心にして凹部２８内に収まる図６の待機姿勢と、そのグリップ３６が凹部２８から斜め上向きに突出する図５の使用姿勢とに揺動でき、ばね２７で揺動付勢されて、凹部２８の内側面に接当する待機姿勢を自己保持している。
【００２２】
以上のように構成したハンドル装置は、把手２６のグリップ３６を凹部２８から斜め上向きに突出させて戸パネル１を戸袋から抜き出すことができ、グリップ３６から手を離すと把手２６を凹部２８へ復帰揺動できる。なお、図５に示すように把手２６は区画３８の内面上壁がピン３２に接当することで最大傾斜角度が規制されており、従って使用姿勢における傾斜角度を常に一定とすることができる。戸パネル１を戸袋へ収納する場合には、手掛凹部３５に手を掛けて戸パネル１を操作できる。
【００２３】
図８は、実施例１に係るハンドル装置の変形例を示す。そこでは、上下の締結座７を格納部５の内奥側へ凹ませて、第１ポケット１２を締結座７の外側面にまで拡大し、この拡大された長さ分だけ把手３のグリップ１７の上下長さを増加して握りやすくした。他は、実施例１と同じであるので同じ部材に同じ符号を付して、その説明を省略する。
【００２４】
上記以外に、実施例１における弾性体４は、板ばね、線ばね、あるいはゴムで形成でき、必要があれば接当片１８を受け止める出没可能なスライドピースと、スライドピースを押し出し付勢する圧縮ばねとで構成することができる。手掛凹部６はシェル体２Ａ・２Ｂの少なくともいずれか一方に設けてあればよい。実施例１における把手３は、斜め上向きに傾斜する使用姿勢とすることができる。
【図面の簡単な説明】
【図１】図４におけるＡ−Ａ線断面図である。
【図２】ハンドル装置の分解斜視図である。
【図３】把手を待機姿勢にした状態の縦断正面図である。
【図４】図３におけるＢ−Ｂ線断面図である。
【図５】  参考例に係るハンドル装置の一部破断正面図である。
【図６】  把手を待機姿勢にした状態での参考例のハンドル装置の正面図である。
【図７】図６におけるＣ−Ｃ線断面図である。
【図８】実施例１に係るハンドル装置の変形例を示す縦断側面図である。
【符号の説明】
１  戸パネル
２  ホルダー
３  把手
４  弾性体
１４  軸
１７  グリップ
【図１】
0004698898.tif 000002
【図２】
0004698898.tif 000003
【図３】
0004698898.tif 000004
【図４】
0004698898.tif 000005
【図５】
0004698898.tif 000006
【図６】
0004698898.tif 000007
【図７】
0004698898.tif 000008
【図８】
0004698898.tif 000009